(57)【要約】【課題】並列配置された光源について、簡便な構成により、低コストで輝度の均一性を確保し、もって高品質の照明光を提供可能な表示装置用照明装置を提供する。【解決手段】本発明の表示装置用照明装置は、並列配置された複数の光源１７と、前記光源１７の並列方向に関する情報を識別するセンサ６０と、前記センサ６０の識別結果に基づき、前記光源１７への出力電流量を制御する出力電流制御部５１と、を備えることを特徴とする。【選択図】図５
2008176955.tif 000002
【特許請求の範囲】
【請求項１】
並列配置された複数の光源と、
前記光源の並列方向に関する情報を識別するセンサと、
前記センサの識別結果に基づき、前記光源への出力電流量を制御する出力電流制御部と、を備えることを特徴とする表示装置用照明装置。
【請求項２】
前記光源は、線状光源からなることを特徴とする請求項１に記載の表示装置用照明装置。
【請求項３】
前記光源は、高圧放電管からなることを特徴とする請求項１又は２に記載の表示装置用照明装置。
【請求項４】
前記センサは、前記光源の並列方向に関する情報として、並列方向のいずれが鉛直上方かに関する上下情報を識別することを特徴とする請求項１ないし３のいずれか１項に記載の表示装置用照明装置。
【請求項５】
前記出力電流制御部はインバータ基板に配設されてなり、前記センサが当該インバータ基板に配設されてなることを特徴とする請求項１ないし４のいずれか１項に記載の表示装置用照明装置。
【請求項６】
前記出力電流制御部は、前記並列配置された各光源に、前記並列方向に関する情報に応じた所定の電流量を供給する制御を行うことを特徴とする請求項１ないし５のいずれか１項に記載の表示装置用照明装置。
【請求項７】
前記出力電流制御部は、前記上下情報に基づいて、鉛直上方側の光源に対して電流量を減少する制御を行うことを特徴とする請求項４ないし６のいずれか１項に記載の表示装置用照明装置。
【請求項８】
前記出力電流制御部は、前記上下情報に基づいて、鉛直下方側の光源に対して電流量を増大する制御を行うことを特徴とする請求項４ないし７のいずれか１項に記載の表示装置用照明装置。
【請求項９】
請求項１ないし８のいずれか１項に記載の表示装置用照明装置と、
前記表示装置用照明装置からの光を利用して表示を行う表示パネルと、を備えることを特徴とする表示装置。
【請求項１０】
前記表示パネルが液晶を用いた液晶パネルであることを特徴とする請求項９に記載の表示装置。
【発明の詳細な説明】
【技術分野】
【０００１】
本発明は、表示装置用照明装置、及びそれを用いた表示装置に関する。
【背景技術】
【０００２】
液晶表示装置に代表される非発光型の光学素子を用いた表示装置においては、液晶パネル等の表示パネルに対して光を照射すべく、当該表示パネルの背面にはバックライト装置が設けられている（例えば特許文献１参照）。
【特許文献１】特開２００４−３１１３９６公報
【発明の開示】
【発明が解決しようとする課題】
【０００３】
特許文献１には、並列接続された複数のランプの個々の障害を検知して、正常なランプの長寿命化を図る技術が開示されている。具体的には、電源電圧をランプに出力する電源供給部と、ランプそれぞれに流れる複数の管電流を受け取り、該管電流の中で少なくとも一つの管電流が一定基準値以下である場合に、電源電圧を遮断する電源遮断信号を電源供給部に提供するランプフィードバック検知部と、を含むランプ駆動装置が開示されている。ところが、このようなランプフィードバック検知部を備えるランプ駆動装置を用いた場合、各ランプから管電流を受け取る必要があるため、その機構が複雑でコストが嵩むものである。
【０００４】
本発明は、このような背景に基づいてなされたものであって、並列配置された光源について、簡便な構成により、低コストで輝度の均一性を確保し、もって高品質の照明光を提供可能な表示装置用照明装置を提供することを目的としている。また、本発明は、そのような表示装置用照明装置を用いた表示装置であって、表示品質の優れた表示装置を提供することを目的としている。
【課題を解決するための手段】
【０００５】
上記課題を解決するために、本発明の表示装置用照明装置は、並列配置された複数の光源と、前記光源の並列方向に関する情報を識別するセンサと、前記センサの識別結果に基づき、前記光源への出力電流量を制御する出力電流制御部と、を備えることを特徴とする。
【０００６】
このような表示装置用照明装置によると、並列方向に応じて照明輝度が異なるような場合に、当該並列方向を識別し、その方向に応じて光源への出力電流量を制御することで、輝度の均一化を図ることが可能となる。
つまり、並列方向に関する情報を識別することで、例えば当該表示装置用照明装置を表示装置に設置した状態で、並列の端側の方向性を識別することができ、例えば光源が上下に並列される場合には、上方と下方のいずれかを識別することが可能となる。その結果、出力電流制御部は、並列配置された光源のうち、上方側と下方側に対して異なる電流量を出力することが可能となる。
そして、例えば上方の光源周辺は、発光に係る熱が篭り易く相対的に高温となることから、出力する電流量を減算する方向に、下方の光源周辺は、発光に係る熱が篭り難く相対的に低温となることから、出力する電流量を加算する方向に制御することが可能となるのである。なお、光源周辺の環境が高温となると、光源の負荷が小さくなるため、必要な電流量が小さくなることから、上記のような制御を行うことが好ましいものとされる。
【０００７】
このように光源の並列方向に関する情報の識別結果に基づいて電流量の出力制御を行う本発明によれば、並列方向に応じて照明輝度が異なるような場合に、当該並列方向に関するセンサ結果に応じて光源への出力制御を行うことができるため、照明輝度の均一化を図ることが可能となるのである。また、本発明によれば、特に複数の光源の各々にセンサを設けなくても良いため、構成が簡便で、コスト削減にも寄与することが可能となる。
【０００８】
前記光源は、線状光源からなるものとすることができる。
線状光源を表示装置の背面直下に並列配置する場合に本発明は好適であり、特に使用に供する場合に、線状光源の配列方向を鉛直上下方向に指向させるときに本発明が好適となる。このように鉛直上下方向に指向させると、上側の光源周辺が高温に、下側の光源周辺が低温になるためであり、当該高温低温の差に基づいて光源における電流量が異なる場合があり、本発明によれば好適に当該電流量の相違を出力電流制御部により解消することが可能となるのである。
【０００９】
また、前記光源は、高圧放電管からなるものとすることができる。
このような高圧放電管からなる場合、光源からの発熱が大きくなるため、本発明のように並列方向を識別して出力電流量を制御することで、各光源の電流量の均一化を図ることが一層好ましいものとなる。
【００１０】
前記センサは、前記光源の並列方向に関する情報として、並列方向のいずれが鉛直上方かに関する上下情報を識別するものとすることができる。
このように上下情報を識別すれば、並列方向において鉛直上方の向きを特定することが可能となり、当該上方と下方とにおいて電流量の出力制御を的確に行うことが可能となる。つまり、上述した通り、上方の光源周辺は上述の通り相対的に高温となり易く、下方の光源周辺は上述の通り相対的に低温となり易いことから、例えば当該上方の光源に対しては出力する電流量を低減する方向に、一方、下方の光源に対しては出力する電流量を増大する方向に制御すれば、温度差に起因する輝度ムラ発生を解消することが可能となるのである。
【００１１】
なお、前記出力電流制御部はインバータ基板に配設されてなり、前記センサが当該インバータ基板に配設されてなるものとすることができる。
出力電流制御部が設けられるインバータ基板にセンサを配設することで、並列方向に関する情報の識別を確実に行うことが可能であるとともに、センサと出力電流制御部との電気的接続も簡便に行うことができるようになる。
【００１２】
前記出力電流制御部は、前記並列配置された各光源に、前記並列方向に関する情報に応じた所定の電流量を供給する制御を行うものとすることができる。
これにより、並列方向に応じた光源の駆動制御を実現することが可能となり、例えば並列方向によって輝度が異なる場合に、電流量を制御して、当該輝度を均一化させることが可能となる。
【００１３】
特に、前記センサの上下情報に基づいて、鉛直上方側の光源に対して電流量を減少する制御を行うものとすることができる。
これは、上述の通り鉛直上方側の光源周辺は高温になり易いことから、光源の負荷が下がり易いためであり、それ故、鉛直上方側の光源に対しては、出力電流量を減少する制御を行うことが好ましいのである。
【００１４】
他方、前記出力電流制御部は、前記センサの上下情報に基づいて、鉛直下方側の光源に対して電流量を増大する制御を行うものとしても良い。
これは、上述の通り鉛直下方側の光源周辺は低温になり易いことから、光源の負荷が上がり易いためであり、それ故、鉛直下方側の光源に対しては、出力電流量を増大する制御を行うことが好ましいのである。
【００１５】
次に、上記課題を解決するために、本発明の表示装置は、上記記載の表示装置用照明装置と、前記表示装置用照明装置からの光を利用して表示を行う表示パネルと、を備えることを特徴とする。
【００１６】
このような表示装置によると、表示パネルに対して光を供給する表示装置用照明装置が、照明輝度の均一性に優れたものとなるため、当該表示装置は表示の明るさが均一で、高品質の表示を実現可能なものとなる。
【００１７】
前記表示パネルとしては液晶パネルを例示することができる。このような表示装置は液晶表示装置として、種々の用途、例えばテレビやパソコンのデスクトップ画面等に適用でき、特に大型画面用として好適である。
【発明の効果】
【００１８】
本発明によると、並列配置された光源について、簡便な構成により、低コストで輝度の均一性を確保し、もって高品質の照明光を提供可能な表示装置用照明装置を提供することが可能となる。また、本発明によれば表示品質の優れた表示装置を提供することが可能となる。
【発明を実施するための最良の形態】
【００１９】
以下、本発明を具体化した実施形態について、図面を参照しつつ説明する。
図１は本発明の実施形態に係る液晶表示装置の概略構成を示す分解斜視図、図２は同じく液晶表示装置の概略構成を示す断面図、図３は本実施形態の液晶表示装置の使用状態を示す斜視図、図４はバックライト装置の要部構成を示す平面模式図、図５はインバータ基板の概略構成を模式的に示すブロック図、図６は出力制御フローを示す説明図、図７は出力テーブル１に係る出力内容を示す説明図、図８は出力テーブル２に係る出力内容を示す説明図、図９は出力電流制御部の概略構成を示すブロック図、図１０は各光源と出力電流量との関係について示すグラフである。
【００２０】
まず、本実施形態に係る液晶表示装置（表示装置）１０の全体構成について説明する。液晶表示装置１０は、図１及び図２に示すように、矩形をなす液晶パネル１１と、外部光源であるバックライト装置１２とを備え、これらがベゼル１３などにより一体的に保持されるようになっている。このうち、液晶パネル１１は、一対のガラス基板が所定のギャップを空けた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極等が設けられ、他方のガラス基板には、対向電極と、Ｒ，Ｇ，Ｂ等の各色からなるカラーフィルタ等が設けられている。
【００２１】
次に、バックライト装置１２について説明する。なお、バックライト装置１２は、所謂直下型のバックライト装置であって、液晶パネル１１のパネル面（表示面）の背面直下に、当該パネル面に沿って並列配置された線状光源（ここでは高圧放電管として冷陰極管（管状光源）１７を用いている）を複数具備した構成となっている。
【００２２】
バックライト装置１２は、上面側が開口した略箱型をなす金属製のバックライトシャーシ（シャーシ）１４と、バックライトシャーシ１４の開口部を覆うようにして取り付けられる複数の光学部材１５（図示下側から順に拡散板、拡散シート、レンズシート、光学シート）と、これら光学部材１５をバックライトシャーシ１４に保持するためのフレーム１６と、バックライトシャーシ１４内に並列配置した状態で収容される冷陰極管（光源）１７と、並列配置された各冷陰極管１７の両端部を保持するためのゴム製（例えばシリコンゴム製）のホルダ１８と、冷陰極管１７群及びホルダ１８群を一括して覆うランプホルダ１９と、冷陰極管１７をバックライトシャーシ１４に取り付け且つ保持するためのランプクリップ２０とを備える。なお、当該バックライト装置１２においては、冷陰極管１７よりも光学部材１５側が光出射側となっている。
【００２３】
冷陰極管１７は、一方向に細長い管状をなしており、その長さ方向（軸線方向）をバックライトシャーシ１４の長辺方向に一致させた状態で、バックライトシャーシ１４内に多数本（図１では１８本）収容されるようになっている。また、本実施形態では、２本の冷陰極管１７が一対となってランプユニットＬ１，Ｌ２・・・（図４参照）を構成し、当該２本の冷陰極管１７はそれぞれ一端部において配線１８ａにより電気的に接続されてなり、所謂擬似Ｕ字管構成をとっている。
【００２４】
冷陰極管１７は、バックライトシャーシ１４の短辺方向に沿って等間隔に並列配置されている。特に、液晶表示装置１０の使用状態、つまり表示パネル１１にバックライト装置１２を取り付け、表示を供する状態においては、図３及び図４に示すようにバックライトシャーシ１４の短辺方向に沿って鉛直上下方向に並列配置されることとなる。
【００２５】
さらに、冷陰極管１７は、バックライトシャーシ１４に対してランプクリップ２０により組み付けられている。ランプクリップ２０はクリップ状の光源保持部材として機能し、合成樹脂製（例えばポリカーボネート製）とされている。なお、ランプクリップ２０は、各冷陰極管１７を長さ方向に異なる２箇所または３箇所で保持できるよう、バックライトシャーシ１４に対して複数取り付けられるようになっている。
【００２６】
略箱型のバックライトシャーシ１４は金属製板金を主体として構成され、そのバックライトシャーシ１４の内面側（光源側）には光反射シートにより反射面（光反射面）１４ａが形成されている。このような反射面１４ａを含むバックライトシャーシ１４により、冷陰極管１７から出射された光を拡散板等の光学部材１５（以下、拡散板１５等とも言う）側に反射させることが可能となっている。光反射シートは、例えば光反射性を備えた樹脂シート等により構成することができる。なお、バックライトシャーシ１４の光反射面１４ａ（平坦面とされる）と、光学部品１５の板面（平坦面とされる）とは平行に設置されている。
【００２７】
また、バックライトシャーシ１４の冷陰極管１７が配設された側とは反対側（つまり光出射面側とは反対側）には、冷陰極管１７に駆動電圧を供給するためのインバータ基板５０が取り付けられている。なお、インバータ基板５０はインバータカバー６０により覆われて外部から保護されている（図２参照）。
【００２８】
インバータ基板５０には、図５に示すように、各冷陰極管１７（Ｌ１，Ｌ２・・・）に対して出力する電流量を制御する制御部（出力電流制御部）５１と、制御部５１からの出力信号（出力値）に基づいて電圧値を昇圧させるトランス８０（トランスＡ，トランスＢ・・・）と、が配設されている。また、特に本実施形態では、当該インバータ基板５０にピエゾ抵抗型３軸加速度センサ（センサ）６０が設けられ、バックライト装置１２の上下方向を識別する上下方向識別手段として機能している。つまり、ピエゾ抵抗型３軸加速度センサ（センサ）６０によってインバータ基板５０の傾き（言い換えるとバックライトシャーシ１４の傾き）を検出することが可能とされ、当該傾きに基づいてバックライト装置１２の上下方向を識別することが可能とされている。
【００２９】
ここで、本実施形態の液晶表示装置１０は、例えば図３に示すようにテレビ受信装置１に組み込まれて使用に供される。このテレビ受信装置１は、ベゼル１３によって一体化された液晶パネル１１及びバックライトシャーシ１４を含む液晶表示装置１０と、液晶表示装置１０を下方より支えるスタンド１６とにより構成されている。したがって、テレビ受信装置１に組み込まれた当該液晶表示装置１０の使用時においては、図示したように液晶表示装置１０は鉛直上下方向が既定され、バックライトシャーシ１４を含むバックライト装置１２についても鉛直上下方向が既定されることとなる。なお、テレビ受信装置１には、他に図示しないチューナ回路、このチューナ回路からの信号に基づいて液晶パネル１１を駆動する表示駆動回路とが内蔵されている。
【００３０】
このような液晶表示装置１０の使用時におけるバックライト装置１２の鉛直上下方向は、上述した通りセンサ６０により識別される。本実施形態では、センサ６０によってバックライト装置１２の鉛直上下方向を識別することで、冷陰極管１７の並列方向に関する情報（上下情報）が取得され、図４に示すように、並列配置された冷陰極管１７のうち、いずれの方向が鉛直上側で、いずれの方向が鉛直下側であるかを識別することができる。ここでは、図３の使用状態において、冷陰極管１７のうち、冷陰極管１７ａ及び冷陰極管１７ｂを含むランプユニットＬ１側が鉛直上側とされ、冷陰極管１７ｐ及び冷陰極管１７ｏを含むランプユニットＬ８側が鉛直下側とされている。
【００３１】
また、図４に示すように、各冷陰極管１７にはインバータ基板５０から配線７１，７２を介して駆動電圧が供給（出力）されるものとなっており、本実施形態では制御部（出力電流制御部）５１により、各冷陰極管１７に対して個々に電流値の出力制御が行われるものとされている。具体的には、制御部５１は、上述したセンサ６０からの上下情報に基づいて、各冷陰極管１７に出力する電流値を制御し、各冷陰極管１７に流れる電流量を均一化する機能を担っているのである。
【００３２】
以下、本実施形態の液晶表示装置１０のバックライト装置１２に設けられた制御部５１の制御内容について説明する。
なお、制御部５１が行う制御の概略は、当該制御部５１において、図５に示すようにセンサ６０からの識別情報に基づき、各トランス８０に対する出力値を適宜制御するものであり、当該出力値に基づいて、各トランス８０から各ランプユニットＬ１，Ｌ２・・・に対して所定の電流量が出力される構成となっている。
【００３３】
図６は、当該制御部５１が行う出力制御フローを示すフローチャートである。
まず、Ｓ１において、ランプユニットＬ１が「上」であるか否かを判断する。つまり、ランプユニットＬ１が並列方向において鉛直上側か、鉛直下側かを判断するのである。ランプユニットＬ１が「上」と判断された場合（Ｓ１：「Ｙｅｓ」）には、Ｓ２に進み、出力テーブル１を読み込み、さらにＳ３において、当該テーブル１に対応した出力を各トランス８０に対して行う。一方、ランプユニットＬ１が「下」と判断された場合（Ｓ１：「Ｎｏ」）には、Ｓ４に進み、出力テーブル２を読み込み、さらにＳ５において、当該テーブル２に対応した出力を各トランス８０に対して行う。
【００３４】
出力テーブル１は、図７に示すようなデータからなり、トランスＡ（図５参照）に対しては出力値ｏｕｔ２、トランスＢ〜Ｆ（図５参照）に対しては出力値ｏｕｔ１、トランスＧ（図５参照）に対しては出力値ｏｕｔ４、トランスＨ（図５参照）に対しては出力値ｏｕｔ３が出力されることとなる。また、出力テーブル２は、図８に示すようなデータからなり、トランスＡ（図５参照）に対しては出力値ｏｕｔ３、トランスＢ（図５参照）に対しては出力値ｏｕｔ４、トランスＣ〜Ｇ（図５参照）に対しては出力値ｏｕｔ１、トランスＨ（図５参照）に対しては出力値ｏｕｔ２が出力されることとなる。
【００３５】
また、各出力値ｏｕｔ１〜ｏｕｔ４は、図９に示すように制御部５１内で決定される。
具体的には、制御部５１内に電流値設定ピン５３と電流出力補正部５４とが設けられ、電流値設定ピン５３は複数のピン（ここではピンｘ、ピンｙ、ピンｚ）を備え、ピンｘは０加算、ピンｙは−２加算、ピンｚは＋３加算に対応している。そして、電流出力補正部５４は、出力値加算ブロック５５において上記ピンｘ〜ｚを適宜選択して演算処理を行い、例えばピンｘの選択により０加算の出力値ｏｕｔ１を、ピンｙの選択により−２加算の出力値ｏｕｔ２を、ピンｚの選択により＋３加算の出力値ｏｕｔ３を、ピンｙ＋ピンｚの選択により＋１加算の出力値ｏｕｔ４を出力可能とする。
【００３６】
一方、出力電流値設定ブロック５６では、センサ６０からの上下情報をもとに、出力テーブル１若しくは出力テーブル２のいずれかを参照し（図７及び図８）、各トランス８０に対して所定の出力値ｏｕｔ１〜ｏｕｔ４を出力する。このような出力制御に基づき、各トランス８０から各ランプユニットＬ１，Ｌ２・・・への出力電流量が決定される。
【００３７】
例えば、本実施形態では、冷陰極管１７の並列方向において図４に示した上下方向を具備するため、図６のＳ１においてランプユニットＬ１が「上」と判断され、Ｓ２において図７に示した出力テーブル１を読み込み、トランスＡ（図５参照）に対しては出力値ｏｕｔ２、トランスＢ〜Ｆ（図５参照）に対しては出力値ｏｕｔ１、トランスＧ（図５参照）に対しては出力値ｏｕｔ４、トランスＨ（図５参照）に対しては出力値ｏｕｔ３が出力される。その結果、図１０に示すような出力電流が実現されるのである。なお、図１０においてプロット白丸は制御前の電流値を、プロット白三角は制御後の電流値を示している。
【００３８】
図１０に示されるように、トランスＡに接続されたランプユニットＬ１への出力電流は−２加算されて電流値が下がる一方、トランスＧに接続されたランプユニットＬ７への出力電流は＋１加算されて電流値が上がり、さらにトランスＨに接続されたランプユニットＬ８への出力電流は＋３加算されて、電流値が大きく上がることとなる。これにより、図１０に示されるように、制御前の電流値（プロット白丸）に比して、制御後（プロット白三角）には各冷陰極管１７の電流値が均一となり、ひいては照明輝度を均一化させることが可能となる。
【００３９】
このような制御により輝度が均一化される理由は、上側のランプユニットＬ１の周辺は高温になり易い一方、下側のランプユニットＬ８の周辺は低温になり易いことに起因する。つまり、冷陰極管１７からの発熱がバックライト装置１２の上側に篭ることから、当該上側は相対的に高温に、下側は相対的に低温になるのである。そして、このような温度差は、冷陰極管１７の負荷に影響し、相対的に高温な上側においては冷陰極管１７の負荷が相対的に小さいくなるため、電流量の低下が相対的に小さい一方、相対的に低温な下側においては冷陰極管１７の負荷が相対的に大きくなるため、電流量の低下が相対的に大きくなるのである（図１０のプロット白丸参照）。
【００４０】
このように冷陰極管１７の配列方向（上下方向）によって温度差が生じ、当該温度差に基づいて各冷陰極管１７の電流量が異なるものとなる場合、各冷陰極管１７によって輝度が異なる結果となり、ひいては輝度ムラ発生の要因となり得る。そこで、本実施形態では、上述の通りセンサ６０によって上下方向を識別し、上側の冷陰極管１７に対して電流量を減少させる制御を行い、下側の冷陰極管１７に対しては電流量を増大させる制御を行うものとし、各冷陰極管１７の電流量の均一化を図ることで、輝度ムラの発生を防止ないし抑制することとしたのである。
【００４１】
以上、本発明に係る実施の形態を示したが、本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４２】
例えば、本実施形態では、上側の冷陰極管１７に対して電流量を減少させる制御を行い、下側の冷陰極管１７に対しては電流量を増大させる制御を行うものとしたが、例えば上下における電流量の相違が小さい場合等には、上側の冷陰極管１７に対してのみ電流量を減少させる制御を行うことも可能である。勿論、逆に下側の冷陰極管１７に対してのみ電流量を増大させる制御を行うことも可能である。
【００４３】
例えば、上記した実施形態では光源として冷陰極管１７を使用した場合を示したが、例えば熱陰極管など他の種類の光源を用いたものも本発明に含まれる。
また、本実施形態ではインバータ基板５０にピエゾ抵抗型３軸加速度センサ（センサ）６０を設けたが、例えばバックライトシャーシ１４に当該センサ６０を設けることも可能である。
さらに、冷陰極管１７の上下方向を識別するセンサは、ピエゾ抵抗型３軸加速度センサに限らず、その他の加速度センサを用いることも可能である。
【００４４】
その他、本発明は、ＴＦＴ以外のスイッチング素子を用いた液晶表示装置にも適用可能であり、カラー表示する液晶表示装置以外にも、白黒表示する液晶表示装置にも適用可能である。さらに、上記した実施形態では、液晶表示装置を示したが、液晶以外でバックライト装置を用いる他の表示装置にも本発明は適用可能である。
【図面の簡単な説明】
【００４５】
【図１】本発明の実施形態に係る液晶表示装置の概略構成を示す分解斜視図。
【図２】図１の液晶表示装置の断面図。
【図３】本実施形態の液晶表示装置の使用状態を示す斜視図。
【図４】バックライト装置の要部構成を示す平面模式図。
【図５】インバータ基板の概略構成を模式的に示すブロック図。
【図６】出力制御フローを示す説明図。
【図７】出力テーブル１に係る出力内容を示す説明図。
【図８】出力テーブル２に係る出力内容を示す説明図。
【図９】出力電流制御部の概略構成を示すブロック図。
【図１０】各光源と出力電流量との関係について示すグラフ。
【符号の説明】
【００４６】
１０…液晶表示装置（表示装置）、１１…液晶パネル（表示パネル）、１２…バックライト装置（表示装置用照明装置）、１４…バックライトシャーシ（シャーシ）、１７…冷陰極管（光源、高圧放電管）、５１…制御部（出力電流制御部）、６０…センサ（上下識別センサ）
【図１】
2008176955.tif 000003
【図２】
2008176955.tif 000004
【図３】
2008176955.tif 000005
【図４】
2008176955.tif 000006
【図５】
2008176955.tif 000007
【図６】
2008176955.tif 000008
【図７】
2008176955.tif 000009
【図８】
2008176955.tif 000010
【図９】
2008176955.tif 000011
【図１０】
2008176955.tif 000012